(57)【要約】【課題】大は小を兼ねるとばかりに決めた大きさが、頻繁に行われる会議には不向きであること。結構な種類を持つ割には、出来る配列数の範囲が狭すぎ、不十分さがあった。つまり、選んだ分割数のものは、きめ細かく他の分割数に対応することが難しかった。【解決手段】等脚台形の4つの頂点１０を軸心とするコーナー円弧部２をベース天板１に備えて、数種類のベース天板と脚部からなるユニットを構成し、略全ての円卓テーブル配列が可能で、小グループへの再配列も簡単であり、ユニットおよびユニットの間に出来る隙間を、均等に塞ぐ連結部及び装飾連結板３１からなる載置台装置である。【選択図】図１
2022001253.tif 000002
【特許請求の範囲】
【請求項１】
ベース天板１及び脚部６０を有するユニットを複数備え、前記ユニットが複数配置されて構成される載置台であって、
複数の前記ユニットは、連続して並んで、輪状、又は長い円弧形状に配置され、
前記ベース天板１又は脚部６０の水平部分を結んだ形状は略等脚台形形状であり、少なくともどちらか一方で４つのコーナー部２を有し、
前記コーナー部２は、輪状に配置された複数の前記ユニットの内周側に位置する内側コーナー部２-１，２-２と、
輪状に配置された複数の前記ユニットの外周側に位置する外側コーナー部２-３、２-４とを含み、
前記コーナー部２は、それぞれ、等脚台形の各頂点１０を中心とする円弧形状であり、
互いに隣接して配置される前記ベース天板１又は脚部６０の水平部分を結んだ略等脚台形形状部は、それぞれの前記内側コーナー部同士又は前記外側コーナー部同士が近接又は接触して配置され、
あるいは、数種類のユニットが複数集められ分割数の増減が可能な楕円形状に配置されている、
あるいは、一連の長い円弧形状体が複数集められ内側と外側が逆に並べられＳ字状に配置されている、
ことを特徴とする載置台。
【請求項２】
互いに隣接するコーナー部２が接触するように連結部を備え、ベース天板の間に生じる空間に上から塞ぐように配置される装飾連結板３１やトレー式装飾連結板３９あるいは上下一体式装飾連結板５１を備えている、
ことを特徴とする請求項１記載の載置台。
【請求項３】
ベース天板部に等脚台形の頂点を中心とする円弧形状のコーナー部を有し、４つのコーナー部は内側コーナー部と外側コーナー部の何れかあるいは内側、外側コーナー部共に円弧形状であり、前記円弧形状部には配置されるユニット数に合わせ、線、色分け、文字、記号等でユニット数が表示されており、隣接するユニットは前記表示に合わせて近接し、又は接触するよう規制され、輪状、楕円形状、円弧状、Ｓ字状に配置される、
ことを特徴とする請求項１記載の載置台。
【発明の詳細な説明】
【技術分野】
【０００１】
この発明は分割された円卓テーブルユニットがどのように配列され、円卓形状に組み上げられるのか、どこまでユニットを増減出来、どの範囲の大きさまで出来るのか、そのグループは幾つぐらい必要か、円卓形状以外に並べ方のパターンはどれぐらいあるのか、その仕組みはどのようになっているのか、ユニット間の隙間はどのように処理されるのか、等に関する。
【背景技術】
【０００２】
従来の技術でも分類には分割数を用いて様々なものが開発されているが、それらのものを用いて再配列する場合、かなり限定されたものしかなく、全ての分割数を満たすものは無く、在庫する場合、大きさもさまざまで、結果、代表的な分割数のテーブルで少し大きめのものを選ぶしかなく、その他の分割数への対応は、適当な方法もなく、常に大は小を兼ねるやり方が取られていた、つまり、１〜４人座れる分割ユニットを選んでいた、４分割であるなら４人から１６人までというわけである、円卓や長楕円形状円卓それに長円弧テーブル等にはその種類の割には、サイズや形状がぴったりと思われるものが少なく、帯に短し、襷に長しの状態であり、不自由であった、
長年このようなやり方をおこなってきたので、円卓形式テーブルの普及が進まず、いつまでも、古来古めかしい長方形のテーブルが幅を利かせてきた、円卓テーブルのさらなる開発と進化そして普及が待ち望まれる状況が永く続いてきた、また、在庫の状態も４人が座れる大きなものを選べば、大きなまま在庫しておくほかなく不自由なケースもあった。
【先行技術文献】
【特許文献】
【０００３】
【特許文献１】特開２０１２-１８７３３６号公報
【０００４】
【特許文献２】特開２０１７-１８４５８号公報
【発明の概要】
【発明が解決しようとする課題】
【０００５】
以上述べたように、従来の問題点は、大は小を兼ねるとばかりに決めた大きさが、頻繁に行われる会議には不向きであること。結構な種類を持つ割には、出来る配列数の範囲が狭すぎ、不十分さがあった。つまり、選んだ分割数のものは、きめ細かく他の分割数に対応することが難しかった、
大きいままで置かれっぱなし状態が多くなっていたことである、在庫状態で、もう少し小さく出来ないかとの不満があった、購入時は大きく選び、在庫時は小さくと矛盾する要求があり、困っていた、
運用面では、小さな円卓が、いかなる大きさのものでも、いつでも再配列出来るのであれば小さく残置、簡単組み換えで大きな円卓テーブル０に組み換えが出来ると謳い文句になる。
【０００６】
会議の質を上げるためには本来、円卓形式が良いという意見が近来多くなってきており、選ばれた複数人が議論の中でどのように振舞うのか大切な要素であり、円卓議論で面体してしか分からない対人の様子を観察できるので、適宜質問をなし確認、修正等きめ細かく討議しその中身を高めることができ、良き結果が出やすいので、早期良質の結論を求めやすく、会社目標徹底と達成、開発目標達成、販売目標達成、人材発掘、最適な教育に最適である、
何といっても最大の効果は、円卓では席順に序列がなく、発言を自由になすことが出来、アイディアや知恵が活発に出やすくなることである、
古くはアーサー王の円卓の騎士は１５０人もの選ばれし勇士が競って手柄を立てるべく競い合った歴史もあり、数えればいくらでも出てくる円卓の長所、柔軟な運用が可能であればと永らく待たれていた状況であった。
【課題を解決するための手段】
【０００７】
本発明はこのような従来の技術が有していた問題点を解決しようとするものであり、
ベース天板１及び脚部６０を有するユニットを複数備え、前記ユニットが複数配置されて構成される載置台（円卓テーブル０）であって、複数の前記ユニットは、連続して並んで、輪状、又は長い円弧形状に配置され、
前記ベース天板１、又は、脚部の水平部分を結んだ略等脚台形形状部は、少なくとも一方で４つのコーナー部を有し、
前記コーナー部は、輪状に配置された複数の前記ユニットの内周側に位置する内側コーナー部と、輪状に配置された複数の前記ユニットの外周側に位置する外側コーナー部とを含み、
前記コーナー部は、それぞれ、等脚台形の各頂点１０を中心とする円弧形状２であり、
互いに隣接して配置される前記ベース天板１、又は、脚部の水平部分を結んだ略等脚台形形状部は、
それぞれの前記内側コーナー部同士又は前記外側コーナー部同士が近接又は接触して配置され、
数種類のユニットが複数集められ分割数の増減が可能な楕円形状に配置されている、
一連の長い円弧形状体が複数集められ内側と外側が逆に並べられＳ字状に配置されている、
互いに隣接するコーナー部が接触するように連結部を備え、
ベース天板１の間に生じる空間に配置され上から塞ぐように配置される装飾連結板を備えている、
ベース天板１に等脚台形の頂点１０を中心とする円弧形状のコーナー部２を有し、４つのコーナー部は内側コーナー部と外側コーナー部の何れかあるいは内外コーナー部共に円弧形状であり、前記円弧形状部２には配置されるユニット数に合わせ、線、色分けあるいは文字、記号等２-５でユニット数が表示されており、隣接するユニットは前記表示に合わせて近接し、又は接触するよう規制され、輪状、楕円形状、円弧状、Ｓ字状に配置される、
ことを特徴とする載置台（円卓テーブル０）を提供することにある。
コーナー部の円弧軸心として等脚台形を選んだのは、（図１３、図１４参照）
３角形のものは外側にしかコーナー軸心６が選べなく、奥行が大きくなり、隙間も大きくなりすぎる長楕円や円弧形状への対応が不可能である、また奥行に無駄な部分が生じる、
長方形の場合、内側にのみ軸心６があり、無限大から分割数を減らして行くので中心角度差は常に所望の分割数の中心角度がそのまま現れ、大きすぎ、配列半径も大きくなり、かつ、長楕円配列が不可能である、
五角形以上では内側と外側に隙間が現れ外側の隙間は意味を失う、
円の場合も内外に隙間が現れ、無駄である、
等脚台形以外では長楕円や円弧形状の配列が難しく、
円卓に近い形状が得られるのは等脚台形がもっとも相応しい、
さらに、内側と外側に軸心があり、きわめて小さい隙間角７で、きめ細かな運用ができるという理由からである。
【発明の効果】
【０００８】
本発明では、少ない種類のベース天板１があれば、それぞれの前後分割数を受け持ち、隙間角度を小さく統一して、略全ての分割数に対応する円卓形状配列が可能であり、５〜∞の分割にも理論上可能である、小グループへの組み換えも、連結部を外すだけの作業で簡単であり、肌理の細かい運用で、人数の増減にも素早く対応できる、
本発明では、ベース天板１の側辺部長さを統一したので、様々な配列が可能となった、長楕円配列、長円弧配列、Ｓ字状配列等である、
本発明では、連結部を設けることで、輪状に動かし、全て連結する作業を加えるだけで、ユニットおよび装飾連結板がともに、半自動的、均等に配置される効果がある、
本発明の配列方法は、脚部水平部分に、等脚台形の４つの頂点を軸心として円弧コーナー部を設け、接触移動をこのコーナー部に規制すれば、お膳や椅子にも応用が出来る、図１２にお膳や椅子に適用したものの１例を記載した。
【図面の簡単な説明】
【０００９】
【図１】図はＢＯ１２のベース天板の取り方を平面図で説明したものである。
【図２】図はＢＯ１２を使ってＯ８を配列する内側軸心方式を説明する平面図である。
【図３】図はＢＯ１２を使ってＯ２０を配列する外側軸心方式を、説明する平面図である。
【図４】図は隙間角０°、６°、１０°、１５°と対応する装飾連結板３１との関係を示す。
【図５−１】図は装飾連結板３１のピンまわり説明図である。
【図５−２】図は上下連結板が協働している断面図で、左右連結板３２有り。
【図５−３】図は左右連結板３２がない状態で上下連結部が協働している断面図で装飾連結板裏面には滑り材がついている。
【図６−１】図は上下一体連結部５０の説明図である、ａｂは平面図と断面図、ｃは一体金具図である。
【図６−２】図は上下一体連結部５０の説明図である、ａは平面図、ｂは正面図である。
【図７】図はＢＯ１２でＯ８に配列した連結部付き平面図である。
【図８】図は長楕円配列例（席減少）の平面図である。
【図９】図は連結作業の斜視図である。
【図１０】図はＢＯ１２でＯ２０を配列した連結板付き平面図である。
【図１１】図は脚部の平面図と側面図である、ＸＹ平面とＺ軸の基準を示している。
【図１２】お膳への応用と椅子への応用である、ユニット最下部にコーナー円弧部２がある。
【図１３】ＢＯ６でＯ５〜Ｏ８最大隙間角１５°で配列した説明図である。
【図１４】長方形テーブルで展開したＯ５〜Ｏ８迄の配置図で隙間角および外径半径を示す。
【発明を実施するための形態】
【００１０】
円卓テーブルの実施例である、
ベース天板１に等脚台形の頂点１０を中心とする４つのコーナー部を設ける場合
グループ分け設定例Ａ
本発明は天板の作りに独特の部分があり、図１を参照しながらグループ分け設定例Ａで順次説明する、まず、円卓を配列するに必要な分割数を小さなグループ、中間のグループ、大きなグループに分ける。分けるには中心角度をもってする、中心角度差を、選ばれた中心から１５°で全て統一する、小さなグループは６分割をベース天板１としてＢＯ６、対応はＯ５〜Ｏ８まで、中のグループでは１２分割をベース天板１としてＢＯ１２、対応はＯ８〜Ｏ２４まで、大のグループでは２４分割をベース天板１としてＢＯ２４、対応はＯ１２〜∞まで、小さいグループでは事務用に、長楕円の固定用として、主に用いるか、分割中心角度が大きので２人席として展開し、分割数は６分割で１２人用とする、また、談笑用としては、幅、奥行とも半分ぐらいで、飲み物を置くスペースがあればよく別途、丸テーブルで対応する、
このベース天板1の取り方は図1のように軸心６は等脚台形（Ｐ１Ｐ２Ｐ３Ｐ４）の頂点１０でＰ１Ｐ３から高さｒの長方形（Ｐ１Ｐ３ａ３ａ１）を描き、同じようにＰ２Ｐ４からも高さｒの長方形（Ｐ２Ｐ４ａ４ａ２）をとる。長方形の左右の側辺部３を延長した交点を中心点ＢＯ１２とする。次に、点Ｐ1、Ｐ２、Ｐ３、Ｐ４から半径ｒで１/４円弧を描き直線Ｐ１Ｐ３とＰ２Ｐ４の延長線との交点をａ１`，ａ３`,ａ２`,ａ４`とする。この１/４円弧をそれぞれコーナー円弧部２（２-１,２-２,２-３,２-４）とする。次いで、中心ＢＯ１２からａ１`,ａ２`を結ぶ円弧を描き内辺部４とする。次いで、同じように中心ＢＯ１２から点ａ３`,ａ４`を結ぶ円弧を描き外辺部５とする。これが円卓形状ベース天板１である。点（Ｐ１、Ｐ２、Ｐ３、Ｐ４）を中心とし直径ｄの円を描くこれがピン軸孔６、この内辺部４、外辺部５を直線で結べば、等脚台形状円卓となる。このベース天板１で最も重要な働きをするコーナー円弧部２は滑らず正確に転がってベース天板（ＢＯｎ）と所望の分割数（Ｏｎ）との中心角度差の半角分回転移動することとなる。１つのベース天板１で半角分で隙間半角８、両ベース天板１で中心角度差分と同じ隙間角７となる。多少の誤差は拾うが、その割合が小さくなるようコーナー円弧部２の半径ｒはできるだけ大きくとる。それと、０°〜４５°の範囲を強化するための措置をとる必要がある。たとえば固い木材、金属製、固いゴム貼り製、固い樹脂製、塗装、歯車形状などである、また、コーナー部には近接して用いる場合の表示マーク２-５として分割数それぞれの底角の９０°に対する補角イコール連結線（２０，２１）を線、記号、色分け等で識別出来るようにして置く（図２、図３参照）
表示マークが煩雑になる場合は、軸心を連結すると、自動的に配列出来る。
【００１１】
グループ分け設定例Ｂ
小さいグループだけ角度差１５°とし、ＢＯ６のＯ５〜Ｏ８までは図４を参照して装飾連結板３１は角度１０°のものを用いる、ＢＯ１２のＯ９〜Ｏ１１も１０°で対応する、ピン孔６が少し見えてくる位置なので一体式装飾連結板５３を用いる、次いで、ＢＯ１２でＯ１３〜Ｏ１５までとＢＯ２０、ＢＯ３０も全部６°すると、６°と１０°で全ての隙間が塞げる、
図４は縦に装飾連結板３１の開き角度６°、１０°、１５°とし、横に左側から、ベース天板ＢＯ用で隙間なし、Ｘ隙間６°、Ｙ隙間１０°、Ｚ隙間１５°として並べている、例えば、上から２段目でＺの場合、ベース天板の隙間は１５°で装飾連結板がピン孔ギリギリでピン孔が見えるかもしれない、そこで一体式装飾連結板５１を用いれば、ベース天板ＢＯ６の表面には孔がないよう設定出来るので、１０°用で解決する、このように図４を使う。
【００１２】
コーナー円弧部２での連接（連結して接触せしめる）、転がり時の連結線、接線、底角と補角、中心点等の関係
図２内側ピン軸心Ｐ１、Ｐ２を使ってＢＯ１２を８個並べＯ８を配列する場合
ＢＯ１２は中心角が３０°で底角が７５°その９０°に対する補角が１５°、接線角は、１５+９０＝１０５°（底角７５°を読み替えたら１０５°）で一致する。この１７-１（ａ1）と１７-２（ａ2）の地点が転がり接触の出発点である、連接され転がり移動してＯ８の中心角度４５°底角６７．５°その９０°に対する補角の位置２２．５°の位置まで転がり、その時、全てのベース天板ＢＯ１２の接線はＯ８の中心点に向き合う、●と○を使って説明をしている、中心点を等脚台形の底辺の垂直２等分線の上に数直線として表すとベース天板ＢＯ１２の中心点を境にして下方に分割数が小さくなるよう言い換えると角度が大きくなるような順に並ぶ、最大隙間角は１５°に設定し、装飾連結板３１は１０°用を用いる、次に○、●での計算式を説明する、
ベース天板中心角（○○）その他中心角（○○+●●）、
ベース天板底角（９０-○）その他の底角（９０-○●）、
ベース天板補角＝連結線角度＝中心角の半角（○）その他の補角（○●）、補角とは底角の９０度に対する補角を指す、
転がり角度＝ベース天板１とその他の分割数との補角の差（●）。
図３外側ピン軸心Ｐ３、Ｐ４を使ってＢＯ１２を２０個並べＯ２０を配列する場合
上記方法と同様にやるとＢＯ２０の中心点がＢＯ１２を境にして先ほどとは逆に上方に分布してゆく、どちらも隙間角は中心角度の差で両ベース天板１が半分づつ受け持つ、△と▲で説明している、この時の転がり回転出発点17−3（ａ3），17−4（ａ4）である、次いでＢＯ２０の受け持ちＢＯ３０の受け持ちＢＯ６０の受け持ちと、次々とつながり、ベース天板が４種類で隙間角６°で１２分割から∞まで円卓状に配置できる、次に△、▲での計算式を説明する、
ベース天板中心角（△△＋▲▲）その他の中心角（△△）、
ベース天板底角（９０-（△▲））その他の底角（９０-△）、
ベース天板補角＝連結線角度＝中心角の半角（△▲）その他の補角（△、）、補角とは底角の９０度に対する補角を指す、
転がり角度＝補角の差（▲）。
【００１３】
上部連結部３０、装飾連結板３１を使って連結する場合である、
装飾連結板３１の雌型ピン３３とベース天板１のピン孔６とは直接嵌め合う、ただ、コーナー円弧部２の軸心がずれてはいけないので、位置出しピン軸６２を別途、設け、ベース天板１には位置出しピン６２の位置に正確に嵌合するよう幾何公差を守って天板裏面に位置決めピン穴を空け嵌合する必要がある、左右連結補助板３２の貫通孔３５は装飾連結板３１の雌型ピン３３とは多少の余裕があるよう製作する、次いでベース天板1相互の連結がスムーズに行くよう異なるグループのベース天板１の側辺部３の長さは統一してＬとしている、側辺部３の天板面側に左右補助連結板３２埋め込み用掘り込みが３/４ｈ（ｈは左右補助連結板の厚み）が必要である、これでベース天板１の外形は出来上がりである、これらの外形切削はＮＣ機械を使って製作する、特にピン孔６とコーナー円弧部２、位置決めピン位置６２は正確性を必要とする、さらに天板裏面側はＸＹ平面としているので水平性が必須である、
【００１４】
上下協働連結、上部連結部３０に下部連結部４０も併用する場合である。
上部連結部３０だけでは連結強度が弱い、特に装飾連結板３１を薄型にしているのでピンの取り付け部に移動に伴う強い力が集中的に掛かる。それで、追加で下部連結部４０を設ける。下部連結部４０の軸心６はベース天板１のピン軸心６（Ｐ1，Ｐ2，Ｐ3，Ｐ4）で、位置決めピン６２を利用して正確にフレーム枠６１に設置する、このピン軸３７は軸心６と同軸でフレーム枠６１上部に立てる、このピン軸３７と装飾連結板３１の雌型ピン３３が直接嵌合する、この方法で大分丈夫にはなったが、ユニットの台数が多くなるとやはり、まだまだ弱く、さらに、下部に強い連結だけを目的とした下部連結部４０を設ける、上記のピン軸３７の真下であるが、フレーム枠６１の下部に当て板６３を水平に取付け、この部分に背の高い下部ピン軸４１をベース天板１のピン軸心６に正確に幾何公差で取りつける、連結される側のベース天板１の方には背の低いピン軸４２を取付け、下部連結板４３を上方より落とし込みながら連結する、外すときは上方に持ち上げ連結を外す、外した連結板４３は回転して背の高い側のフレーム内に設けた背の低いピン軸４２に嵌める、これで連結強度は上部の装飾連結板３１と下部の連結板４３で受け持ち簡単連結簡単取り外しが出来る強い連結ができた（図５-２ａｂｃ参照）、連結されたもの全体を固定されているｎｏ１ユニットと連結すべく円を描くようキャスターを転がし円卓テーブル０が完結する位置まで運転する、すると全体が所望の分割Ｏｎ中心点に向き合うので均等に綺麗な配列が完成する、装飾連結板３１の中心線上に仕切り板取付用として設置しておくのも現今の”コロナ禍”では有効である。
【００１５】
上下一体式連結
(図６-１ａｂｃ、図６-２ａｂ参照)下部連結板４３をカタカナのコの字状にした上下一体式金具５４は下部に設けられた２個のピン孔５５にてフレーム枠６１に設けられているピン軸４１、４２にはめ込む事で隣接するベース天板１を連結せしめる、次いで、この金具５４の上面に空けられたピン孔に、樹脂製でアクリル、ナイロン、ポリカーボネート、ＡＢＳ等でできた一体式装飾連結板５１、補強部５３のピン軸５２を差し込むことで、回転等動きのない上部連結が出来る、ベース天板１の回転は下部の連結部４０のみで受け持つ、上記ピン軸５２は補強部５３の上面に埋め込むよう取り付けられ、さらに、一体式式装飾連結板５１が上に重ねられるよう溶着されている、この場合ベース天板１の表面はピン孔６もなく、綺麗である。この一体式金具５４も手のひらサイズにて片手にて支えることも簡単である。
【００１６】
上部連結部３０であるが（図５-２ａｂｃ参照）。その役割は（1）隣り合うベース天板１（ＢＯｎ）のピン孔６どうしを連結する、装飾連結板３１の雌型ピン３３（直径ｄ´）は左右補助連結板３２のブッシュ部孔３６にはまり込む、ブッシュ孔３６外径は天板のピン孔６である、（ピン孔６直径ｄ＝ｄ`＋ブッシュ厚み寸法×２+公差）、
薄板で出来ている装飾連結板３１が主な役割を担う、この板の垂直２等分線は常に接点での接線であり、すべての接線は分割数に合う中心点を目指す、よって、全の装飾連結板３１は半自動的、綺麗、均等に配列される、これはこの装飾連結板３１の下でベース天板１（ＢＯｎ）が左右に回転しながら隙間角７を作っていっても変わらない、（2）ただ、摺動するのでその影響を和らげるために、耐摺動性能の良い左右補助連結板３２を隣り合うベース天板１（ＢＯｎ）に少し頭を約１/４ｈ（ｈは左右補助連結板３２の厚み）出して、この面上を装飾連結板３１が摺動する、つまり、３/４ｈはベース天板１を左右補助連結板３２の外形に合わせ彫り込む、連結部分は座堀り付きブッシュのピン孔３５の外形で孔を開けるが反対側には図５のごとく仮固定用ピン３４を取り付ける、このようにして左右補助連結板３２はベース天板１に取り付けられる、
この連結部３０は上下真逆にすれば内ピン方式と外ピン方式が兼用できる、取り外しはただピン部３３を抜き差しするとともに左右連結補助板３２も上下真逆にするだけなので簡単である、
上部連結部の仕様（図５-１参照）
上から装飾連結板、左右連結補助板、トレー式連結板、ピン部詳細である、
装飾連結板３１と左右補助連結板３２について、装飾連結板３１は樹脂製でピン３３の取り付けには、溶融接着、あるいは溶着で厚みを付加して補強３８する、あるいは金属製でアルミ、ステンレス製、鉄塗装製などである、
左右補助連結板は金属製あるいは樹脂製でピン部の取り付けにはレーザ溶接を適用する、
トレー式の場合は、木材、樹脂製、金属製等で、ピン取付部はマットで隠すことができる、このトレーに装飾を施す、あるいは、現在の”コロナ禍”では仕切り板を取り付け、アルコールポットを備えておくのもよい。
【００１７】
図８は、長楕円円卓テーブルで長軸側に中心角の大きいベース天板ＢＯ６やＢＯ１２を配置し中央には中心角の小さいベース天板ＢＯ２４を使って描いたものである、隙間のない状態からＢＯ２４の数を２個（上下各１個）減らしている、それは図２のやり方で作図している、長楕円円卓でも席数の微調整がいつでも可能となった、席を増やすこともでき
増減で長軸側と短軸側がどう変化するか作図して比べてみるとよくわかる。
【００１８】
図７と図１０はＢＯ１２を使ってＯ８とＯ２０を配列した図面であるが、縮尺が倍なので印刷時には縮尺を整えて、出図し、重ね合わせてみるとその適用範囲の広さがよくわかる。
図９は円卓形状に配列する作業場面で、連結をしたユニットを運転して、装飾連結板３１を取り付ける作業の場面である。
図１１はフレーム枠６１と上下方向にゾーンを分けて上部、下部、最下部のどの部分でもコーナー円弧部、連結部を持ってきて、等脚台形頂点１０に軸心６があれば、連結することで、コーナー円弧部２で転がり連接し、集めたユニットの配列は均等に行われる事になる、
図１３、図１４は4つのコーナー部として等脚台形を選んだ理由を説明している、特に長方形のものを対象として図面にしたが、外径半径、隙間角の塞ぎ方などで差が出た、
本発明が円卓形状として最も近いし、応用範囲も広く勝っている。
【００１９】
他の応用例（図１２参照）
お膳の場合、ピン軸心６は等脚台形の頂点１０で配置されている、脚部の最下部によく滑る材料で丸い床滑り材７４、足補強を兼ねて、コーナー円弧部７２をピン軸６からｒなる半径で設け、連結はピン軸６とピン軸６をバンド等にて連結する、移動は床滑り材７４で軽く動く、停止は床との隙間部分に楔状のものを挟み込む、
連結の解除も簡単に出来るので、綺麗に均等に配列するのは簡単である、
椅子の場合、4つのコーナー部は脚部最下部に設けられ、椅子席の間に大きな隙間を設け出入りが出来るよう、側辺部３はスライド８５や折り返し８８等で、長さを調節できるよう設定すれば一旦、輪状に配列した後、長さを元にしてやれば席間に隙間を設けることが出来る。
【符号の説明】
【００２０】
０  円卓テーブル
１  ベース天板１  小中大各グループを構成する元になる天板
ベース天板ＢＯｎ  分割数に重きを置く場合の説明用
ＢＯｎ  ベース天板の中心も表す
Ｏｎ  分割数および分割中心を表す（ｎは自然数）、ベース天板１を用いて前後分割数に配列される
２  コーナー円弧部  円弧部はＸＹ平面に垂直なＺ面
２-１  内側円弧部１
２-２  内側円弧部２
２-３  外側円弧部３
２-４  外側円弧部４
２-５  コーナー部分分割数表示マーク
３  側辺部  長さＬで統一
４  内辺部  円卓形状と等脚台形形状がある
５  外辺部  円卓形状と等脚台形形状がある
６  ピン軸孔（ピン軸はＺ軸でＸＹ平面に垂直）ピン孔とピン軸は文字をそえて使い分ける
Ｐ１  内ピン孔１（ピン軸Ｐ１）
Ｐ２  内ピン孔２（ピン軸Ｐ２）
Ｐ３  外ピン孔３（ピン軸Ｐ３）
Ｐ４  外ピン孔４（ピン軸Ｐ４）
７  隙間角  三角形の隙間で隣り合うベース天板でフリーな場合のみ半分づつ受け持ち、自身がフリーで相手が固定ベース天板とは半角のみ受け持つ、丸は内側連結説明用、三角は外側連結説明用
８  隙間半角
９  配置円  配置円の中心が分割配列中心点ベース天板１は配置円上に配置される
１０  等脚台形の頂点（Ｐ1，Ｐ2，Ｐ3，Ｐ4）でベース天板１回転時の軸心６になる
１１   ベース天板配列中心  隙間なく配列された前後グループの代表天板、登録してその他分割の作図時に利用する
１２  そのた配列中心  事前に配置円を作成してその中心にベース天板１を配置することで素早く円卓テーブルが配列出来る
１３  ベース天板底角  等脚台形の底角で分割中心角の１８０°に対する角度の半角  
１４  その他配列底角  それぞれの中心角の１８０°に対する補角の半角
１５  ベース天板補角  ９０°に対する底角の補角
１６  その他配列補角  ９０°に対する底角の補角
１７  ａ１、ａ２、ａ３、ａ４  連結されたベース天板の回転出発点
１８  ａ１´、ａ２´、ａ３´、ａ４´  等脚台形側辺の延長線とコーナー円弧部の交点
２０  ベース天板連結線  角度は補角と同じで、寸法は２ｒ  
２１  その他配列連結線  角度はその他配列補角と同じで、寸法は2ｒ
２２  ベース天板ＢＯ１２の接線
２３  Ｏ８の接線
２４  Ｏ２０の接線
３０  上部連結部  ベース天板１の表面部分で連結される
３１  装飾連結板  隣り合うベース天板１を連結する、装飾性の主役である
３２  左右補助連結板  ベース天板１に仮固定され、耐摺動性に優れ、装飾性の一端をになう
３３  装飾連結板連結ピン  フレーム枠６１のピン軸３７を受ける穴が下部に設けてある雌型ピン
３４  左右補助連結板仮固定ピン  ベース天板１との仮固定用でオープンに開く側で用いられる
３５  左右補助連結板貫通孔  装飾連結板３１のピン部分と嵌合する
３６  ブッシュ部  左右補助連結板で連結ピンと嵌合する
３７  上部ピン軸  装飾連結板３１の雌型ピンと嵌合する
３８  装飾連結板３１のピン取付補強部
３９  トレー式装飾連結板とマット
４０  下部連結部  フレーム枠６１内に設置される
４１  背の高いピン軸  連結側のピン    
４２  背の低いピン軸  被連結側のピンおよび連結板収納用ピン
４３  下部連結板  孔があり、４１,４２のピンに嵌める、孔はザグリされており、ピンに嵌り易くなっている
５０  上下一体式連結部  下部に設置され、ベース天板１のコーナー円弧部２の隙間に立ち上げる
５１  上下一体式装飾連結板  樹脂製
５２  上下一体式装飾連結板部のピン
５３  上下一体式装飾連結板部のピン軸補強部
５４  上下一体式金具  片仮名のハの字下部でベース天板を回転を伴う連結する、上部では装飾連結板をただ、はめ込む
５５  上下一体式金具の下部ピン孔  ピン軸４１,４２と連結する
５６  上下一体式金具の上面のピン孔  動きのない一体式装飾連結板５１のピンを差し込む
５７  上下一体式連結板５１の裏面に貼付される滑りシート
６０  脚部
６１  ベース天板１取付フレーム枠
６２  ベース天板１取付位置合わせピン
６３  上部ピン軸３７取付よう当て板
６４  支柱部
６５  キャスタ取付部
６６  ブレーキ付きキャスター
７０  お膳
７１  お膳ピン軸
７２  お膳コーナー円弧部
７３  お膳連結部
７４  床すべり材
８０  椅子
８１  椅子ピン軸
８２  椅子コーナー円弧部
８３  椅子連結板
８４  座席
８５  連結ピン付きスライド部
８６  脚
８７  ブレーキ付きキャスター
８８  連結ピン付き折り畳み側辺部
【図１】
2022001253.tif 000003
【図２】
2022001253.tif 000004
【図３】
2022001253.tif 000005
【図４】
2022001253.tif 000006
【図５−１】
2022001253.tif 000007
【図５−２】
2022001253.tif 000008
【図５−３】
2022001253.tif 000009
【図６−１】
2022001253.tif 000010
【図６−２】
2022001253.tif 000011
【図７】
2022001253.tif 000012
【図８】
2022001253.tif 000013
【図９】
2022001253.tif 000014
【図１０】
2022001253.tif 000015
【図１１】
2022001253.tif 000016
【図１２】
2022001253.tif 000017
【図１３】
2022001253.tif 000018
【図１４】
2022001253.tif 000019